(57)【要約】  【課題】  補助脚を取り付けたままでの使用が可能で、工具を使用しない簡単な操作で補助脚のセットができると共に、不使用時には補助脚を取り外す必要もなく、運搬時や収納保管時に邪魔にならないような脚立を提供すること。  【解決手段】  所定の支柱２を持上げた状態で、各補助脚体１９の補助脚２２を回動させ、相対の脚体１の横外方に引き出し、下部が踏桟３と平行となる位置にセットする。このように、４本の補助脚２２を回動させて外方に引き出し、そして、不使用時には所定の支柱２を持上げた状態で、各補助脚体１９の補助脚２２を１８０度反転させて戻し、一対の脚体１内に折り込んで収納する。更に、上部掛け止め金具１０、下部掛け止め金具１２をロックピン１１、１３から解除し、相対の脚体１を折りたたんで収納する。  【選択図】  図５
2006241913.tif 000002
【特許請求の範囲】
【請求項１】
左右一対の支柱に踏桟を架設した一対の脚体を有する脚立において、各支柱に固定された支持具と、上部が前記各支持具に回動可能に挿入された補助脚とを備え、前記補助脚はその形状が概ねくの字状を呈し、使用時には下部が前記脚体の外方に張り出して下端を接地させ、不使用時には下部が前記脚体の間に収納されることを特徴とする脚立。
【請求項２】
前記支持具には前記補助脚の上限を規制するストッパーと、下限を規制するストッパーを設けたことを特徴とする請求項１に記載の脚立。
【請求項３】
前記支持具をそれぞれ上下一対の支持部材で構成し、上の支持部材には前記補助脚の上限を規制するストッパーを設け、下の支持部材には下限を規制するストッパーを設けたことを特徴とする請求項１に記載の脚立。
【発明の詳細な説明】
【技術分野】
【０００１】
本発明は、左右一対の支柱に踏桟を架設した脚体を有する脚立に関する。
【背景技術】
【０００２】
一般に、従来の脚立は構造上、脚体の対面との直交方向、つまり脚体の左右方向の揺動に概して弱く、同方向へ転倒しやすい問題があり、脚立の踏桟上での作業は安全面から制約されていた。そして、転倒を防止する手段として、種々の補助脚を増設して安全性を高める工夫が各方面でなされてきた。このため、上記問題を解決するものとして、脚立転倒防止冶具を脚体下部に補助脚として固定して転倒防止処置を施す技術が提案されている（例えば、特許文献１参照）。この転倒防止冶具の脚立への取り付けは、脚立の使用のたびに使用に先立ち固定するか、あるいは固定したままにして置くかである。しかし、補助脚を固定する際は工具を必要し、その都度着脱しなくてはならず大変煩わしいし、また固定したままの場合には不使用時に脚立を収納する際、補助脚が出っ張って運搬時や収納保管時に邪魔になってしまう。
【特許文献１】実開平６−３５６００号公報
【発明の開示】
【発明が解決しようとする課題】
【０００３】
そこで本発明は、補助脚を取り付けたままでの使用が可能で、工具を使用しない簡単な操作で補助脚のセットができると共に、不使用時には補助脚を取り外す必要もなく、運搬時や収納保管時に邪魔にならないような脚立を提供することを目的とする。
【課題を解決するための手段】
【０００４】
このため第１の発明は、左右一対の支柱に踏桟を架設した一対の脚体を有する脚立において、各支柱に固定された支持具と、上部が前記各支持具に回動可能に挿入された補助脚とを備え、前記補助脚はその形状が概ねくの字状を呈し、使用時には下部が前記脚体の外方に張り出して下端を接地させ、不使用時には下部が前記脚体の間に収納されることを特徴とする。
【０００５】
第２の発明は、第１の発明において、前記支持具には前記補助脚の上限を規制するストッパーと、下限を規制するストッパーを設けたことを特徴とする。
【０００６】
第３の発明は、第１の発明において、前記支持具をそれぞれ上下一対の支持部材で構成し、上の支持部材には前記補助脚の上限を規制するストッパーを設け、下の支持部材には下限を規制するストッパーを設けたことを特徴とする。
【発明の効果】
【０００７】
本発明によれば、補助脚を取り付けたままでの使用が可能で、工具を使用しない簡単な操作で補助脚のセットができると共に、不使用時には補助脚を取り外す必要もなく、運搬時や収納保管時に邪魔にならないような脚立を提供することができる。
【発明を実施するための最良の形態】
【０００８】
以下、本発明の実施の形態を図面に基づき説明する。図１において、１は梯子状に形成された脚体であり、この脚立１は左右に配置した支柱２、２と、その支柱２、２間にほぼ等間隔にて水平方向に架設した複数の踏桟３と、各支柱２の上端部に取り付けた天板４とで構成されている。
【０００９】
前記支柱２、踏桟３、天板４は概ねアルミニウム製のチャンネルで構成され、各支柱２は断面がコ字形状を呈してその開口面同士が対向するように配設され、前記開口を介してその空間内に踏桟３と天板４が固定されて、梯子状を形成する。この一対の脚体１の正面視における形状は、重心を低くして安定性を確保するため、下方が幅広で上方が幅狭のハ字状を呈している。また、前記支柱２、踏桟３や天板４の材料は重量、製作コスト、取り扱い性などを鑑み、前述のほかにアルミニウム製の角管や丸パイプ等で構成してもよい。
【００１０】
図２は一対の脚体１、１を上端で連結して脚立に組上げた側面図である。５、５は一対の脚体１、１を回動可能にするためのヒンジ金具であり、この各ヒンジ金具５の一端は各支柱２の上端に固定され、他端はピン６を介して各脚体１が回動可能に連結される。
【００１１】
この脚立は開き角度を一定にして安定化させるため、相対する脚体１、１の支柱２側面上部に上部掛け止め金具１０及び中間位置に下部掛け止め金具１２が配置されている。上部掛け止め金具１０及び下部掛け止め金具１２の一端部は一方の支柱２にピン７で連結されて回動可能となっており、また他端部にはフック状溝１０Ａ、１２Ａが形成されている。相対する他方の支柱２側面にはロックピン１１及び１３が配置されている。
【００１２】
従って、脚立の使用に際して、初めに、相対の脚体１を拡げ、上部掛け止め金具１０を左上方から回動し、先端部のフック状溝１０Aをロックピン１１に差し込ませてロックする。また同様の操作にて、下部掛け止め金具１２もフック状溝１２Aをロックピン１３に差し込ませてロックする。この時、相対の脚体１それぞれの傾斜角度は設置面GLに対して凡そ７５度の傾きを成し、安定性を確保している。
【００１３】
１９は前記各支柱２に設けられる補助脚体で、前記各支柱２に取り付けられる上部支持具２０と、この上部支持具２０と所定間隔を存して同じく前記各支柱２に取り付けられる下部支持具２１と、これらの両支持具２０、２１に挿入される補助脚２２とから構成され、この補助脚体１９には脚立の左右方向の横ずれを補強して、転倒防止を図っている。図３は上部支持具２０が取り付けられた支柱２の横断平面図であり、この上部支持具２０はボルト２３とナット２４とによりワッチャー等を介在させて前記支柱２に固定される取り付け片２５と、前記支柱２の一側面や前記取り付け片２５とで前記補助脚２２が挿入される空間を形成する案内筒形成片２６、２７と、前記補助脚２２の上限ストッパーとなり接地されたときの上限レベルの位置決めを行う蓋２８とで構成される。また、前記下部支持具２１は蓋２８が無い点を除き、前記上部支持具２０と同様であり、詳細は省略する。
【００１４】
図４は上部支持具２０と下部支持具２１に補助脚２２を挿入した状態を示している。補助脚２２は概ね丸棒や丸パイプで加工されており、全長の上部より凡そ２分の１程度の位置から、角度が凡そ４５度程度にくの字形状に曲げてあり、また接地面となる下端には滑り止めキャップ２９が装着してある。そして、前記下部支持具２１と上部支持具２０の下方からクリアランスがある状態で挿入した補助脚２２には、その上端部が前記蓋２８に当接した状態において、下部支持具２１の上方位置にEリング３０が取り付けられている。このEリング３０の端面が下部支持具２１の上端面部に当たって補助脚２２の下限を規制している。従って、このＥリング３０と下部支持具２１の上端面部とで加減ストッパーを形成し、各支柱２から各補助脚２２の脱落を防止している。
【００１５】
図５は上部支持具２０、下部支持具２１及び補助脚２２から構成される補助脚体１９が脚体１の支柱２に取り付けられ、各補助脚体１９を使用状態にするための過程を示す図である。即ち、使用に際しては、矢印で示すように脚体１の裏側から横方向外側にかけて補助脚２２を回動させる。
【００１６】
図６は補助脚体１９の使用状態を示す脚体１の下部斜視図であり、４本の各補助脚２２の下部が踏板３に対して平行位置まで外方に開いて、即ち下部が前記脚体１の外方に張り出して下端を接地させ、脚立が安定した倒立を確保する。図７は各補助脚２２を収納した外観を示している。即ち、脚立を使用しないときには、各補助脚２２をそれぞれ内側に１８０度回動させて、相対の脚体１間に収納する。
【００１７】
次に、以上のように構成された脚立の使用方法に付いて記述する。通常、脚立の不使用時は、相対の脚体１を折りたたんだ状態で保管してある。まず、使用に当たってこの一対の脚体１を拡げて、上部掛け止め金具１０、下部掛け止め金具１２を回動させて、先端部のフック状溝１０A、１２Aをロックピン１１、１３にしっかり差し込ませて相対の脚体１同士を固定する。
【００１８】
次に、図５に示すように、所定の支柱２を持上げた状態で、各補助脚体１９の補助脚２２を回動させ、相対の脚体１の横外方に引き出し、下部が踏桟３と平行となる位置にセットする。このように、４本の補助脚２２を回動させて外方に引き出し、この際、補助脚２２は滑り止めキャップ２９で滑らないように接地することとなる。この脚立の設置する場所は、転倒しないようできる限り地面のなだらかな場所を選定し、脚立の各脚体１がグラツキのないよう安定した状態で使用しなければならない。
【００１９】
そして、不使用時には所定の支柱２を持上げた状態で、各補助脚体１９の補助脚２２を１８０度反転させて戻し、一対の脚体１内に折り込んで収納する。更に、上部掛け止め金具１０、下部掛け止め金具１２をロックピン１１、１３から解除し、相対の脚体１を折りたたんで収納する。
【００２０】
以上のように、本発明に依れば、補助脚体１９を脚体１に取り付けておき、この取り付けたままで脚立の使用が可能となって、工具を使用することなく補助脚２２を手で回動させるだけという簡単な操作で補助脚体１９のセットができるので、脚立の安定性が向上し、その転倒の不安を減少して安全性を確保でき、脚立の踏桟３上や天板４上での作業が安心して行なえる。また、不使用時には補助脚体１９を取り外す必要がないため、工具を不要とし、補助脚２２を相対の脚体１間に折り込み収納することでコンパクトに収納できて、邪魔にならないため、運搬時や収納保管時に邪魔にならないような脚立を提供できる。
【００２１】
なお、上部支持具２０と下部支持具２１をセットで配置しているが、補助脚２２の安定性と脱落対策を考慮することで、一つの支持具だけで構成してもよい。
【００２２】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２３】
【図１】脚立の正面図である。
【図２】脚立の側面図である。
【図３】上部支持具が取り付けられた位置での支柱の横断平面図である。
【図４】補助脚体の側面図である。
【図５】収納状態から使用状態にする作用を示す脚体の部分外観斜視図である。
【図６】脚立使用時の脚体の部分外観斜視図である。
【図７】脚立不使用時に補助脚の収納状態の脚体の部分外観斜視図である。
【符号の説明】
【００２４】
１                脚体
２                支柱
３                踏桟
１０              上部掛け止め金具
１２              下部掛け止め金具
１９              補助脚体
２０              上部支持具
２１              下部支持具
２２              補助脚
２８              蓋
３０              Ｅリング
【図１】
2006241913.tif 000003
【図２】
2006241913.tif 000004
【図３】
2006241913.tif 000005
【図４】
2006241913.tif 000006
【図５】
2006241913.tif 000007
【図６】
2006241913.tif 000008
【図７】
2006241913.tif 000009